(57)【要約】【課題】利便性良好に画質条件を設定する。【解決手段】デジタル放送受信機のＭＰＵ１１は、リモコン２を介してユーザからの操作入力を受け付けて、受け付けられた操作入力に基づいて、ディスプレイ１８３に画質条件を設定する画面である画質設定画面を表示すると共に、画質設定画面を介して、ディスプレイ１８３に表示する映像の画質条件を設定する画質設定部１１２と、画質条件が設定された時点からの経過時間である第１経過時間を求める第１時間算出部１１３と、第１経過時間が予め設定された第１所定時間に到達したか否かを判定する第１時間判定部１１５と、第１所定時間に到達したと判定された場合に、画質設定画面を消去して、受信部１５を介して受信された映像情報をフルスクリーン状態で表示する表示形態変更部１１６と、を備えている。【選択図】図３
2009044553.tif 000002
【特許請求の範囲】
【請求項１】
テレビジョン放送を受信し、外部から視認可能にモニタに出力可能に構成された放送受信装置であって、
テレビジョン放送を受信する受信手段と、
外部からの操作入力を受け付けて、受け付けられた操作入力に基づいて、前記モニタに画質条件を設定する画面である画質設定画面を表示すると共に、前記画質設定画面を介して、前記モニタに表示する映像の画質条件を設定する画質設定手段と、
前記画質設定手段によって画質条件が設定された時点からの経過時間である第１経過時間を求める第１時間算出手段と、
前記第１時間算出手段によって求められた第１経過時間が予め設定された第１所定時間に到達したか否かを判定する第１時間判定手段と、
前記第１時間判定手段によって第１所定時間に到達したと判定された場合に、前記画質設定画面を消去して、前記受信手段を介して受信された映像情報をフルスクリーン状態で表示する表示形態変更手段と、
を備えることを特徴とする放送受信装置。
【請求項２】
外部からの操作入力を受け付けて、操作入力が受け付けられた場合に、前記第１時間算出手段に対して第１経過時間を零にリセットさせるリセット手段を備えることを特徴とする請求項１に記載の放送受信装置。
【請求項３】
前記表示形態変更手段によって前記画質設定画面が消去された時点からの経過時間である第２経過時間を求める第２時間算出手段と、
前記第２時間算出手段によって求められた第２経過時間が予め設定された第２所定時間に到達したか否かを判定する第２時間判定手段と、
を備え、
前記表示形態変更手段は、前記第２時間判定手段によって第２所定時間に到達したと判定された場合に、前記画質設定画面を表示することを特徴とする請求項１又は請求項２に記載の放送受信装置。
【請求項４】
外部からの操作入力を受け付けて、受け付けられた操作入力に基づいて、前記第１所定時間及び第２所定時間の少なくとも一方を設定する時間設定手段を備えることを特徴とする請求項１〜請求項３のいずれかに記載の放送受信装置。
【請求項５】
前記画質設定手段は、前記モニタに表示する映像の輝度、コントラスト、彩度及び色合いの内、少なくとも１の項目を設定することを特徴とする請求項１〜請求項４のいずれかに記載の放送受信装置。
【発明の詳細な説明】
【技術分野】
【０００１】
本発明は、テレビジョン放送を受信し、外部から視認可能にモニタに出力可能に構成された放送受信装置に関する。
【背景技術】
【０００２】
従来、テレビジョン放送を受信し、外部から視認可能にモニタに出力可能に構成された放送受信装置では、モニタが配設された環境等の条件に応じて、モニタに表示する映像の画質を設定する機能が設けられている。そこで、利便性良好に画質を設定するために、種々の装置、方法等が提案されている。
【０００３】
例えば、録画予約の設定を受ける際に、ユーザに輝度、コントラスト、彩度及び色合い等の画質パラメータを入力させ、ハードディスク又は光ディスクにこれを記録し、記録された番組を再生する際には、画像・音声信号処理回路に画質パラメータに基づいて出力する画像信号を変更する放送信号記録再生装置が開示されている（特許文献１参照）。
【特許文献１】特開２００６−２２２７７３号公報
【発明の開示】
【発明が解決しようとする課題】
【０００４】
しかしながら、上記放送信号記録再生装置では、録画予約の設定を行う際に、ユーザが輝度、コントラスト、彩度及び色合い等の画質パラメータを入力する必要があるが、これらの画質パラメータをユーザが所望する条件に設定することは、下記の原因等のために、容易ではない場合があった。
【０００５】
すなわち、画質パラメータをユーザが所望する条件に設定する際には、画質パラメータを設定するための画面である画質設定画面がモニタに表示されるため、設定された条件で表示される映像を確認する場合には、画質設定画面を一旦消去する必要があり、操作が煩雑である場合があった。
【０００６】
本発明は、上記課題に鑑みてなされたものであって、利便性良好に画質条件を設定することの可能な放送受信装置を提供することを目的としている。
【課題を解決するための手段】
【０００７】
上記目的を達成するために請求項１に記載の放送受信装置は、テレビジョン放送を受信し、外部から視認可能にモニタに出力可能に構成された放送受信装置であって、テレビジョン放送を受信する受信手段と、外部からの操作入力を受け付けて、受け付けられた操作入力に基づいて、前記モニタに画質条件を設定する画面である画質設定画面を表示すると共に、前記画質設定画面を介して、前記モニタに表示する映像の画質条件を設定する画質設定手段と、前記画質設定手段によって画質条件が設定された時点からの経過時間である第１経過時間を求める第１時間算出手段と、前記第１時間算出手段によって求められた第１経過時間が予め設定された第１所定時間に到達したか否かを判定する第１時間判定手段と、前記第１時間判定手段によって第１所定時間に到達したと判定された場合に、前記画質設定画面を消去して、前記受信手段を介して受信された映像情報をフルスクリーン状態で表示する表示形態変更手段と、を備えることを特徴としている。
【０００８】
請求項２に記載の放送受信装置は、請求項１に記載の放送受信装置であって、外部からの操作入力を受け付けて、操作入力が受け付けられた場合に、前記第１時間算出手段に対して第１経過時間を零にリセットさせるリセット手段を備えることを特徴としている。
【０００９】
請求項３に記載の放送受信装置は、請求項１又は請求項２に記載の放送受信装置であって、前記表示形態変更手段によって前記画質設定画面が消去された時点からの経過時間である第２経過時間を求める第２時間算出手段と、前記第２時間算出手段によって求められた第２経過時間が予め設定された第２所定時間に到達したか否かを判定する第２時間判定手段と、を備え、前記表示形態変更手段が、前記第２時間判定手段によって第２所定時間に到達したと判定された場合に、前記画質設定画面を表示することを特徴としている。
【００１０】
請求項４に記載の放送受信装置は、請求項１〜請求項３のいずれかに記載の放送受信装置であって、外部からの操作入力を受け付けて、受け付けられた操作入力に基づいて、前記第１所定時間及び第２所定時間の少なくとも一方を設定する時間設定手段を備えることを特徴としている。
【００１１】
請求項５に記載の放送受信装置は、請求項１〜請求項４のいずれかに記載の放送受信装置であって、前記画質設定手段は、前記モニタに表示する映像の輝度、コントラスト、彩度及び色合いの内、少なくとも１の項目を設定することを特徴としている。
【発明の効果】
【００１２】
請求項１に記載の放送受信装置によれば、外部からの操作入力が受け付けられて、受け付けられた操作入力に基づいて、モニタに画質条件を設定する画面である画質設定画面が表示されると共に、画質設定画面を介して、モニタに表示する映像の画質条件が設定される。また、画質条件が設定された時点からの経過時間である第１経過時間が求められ、求められた第１経過時間が予め設定された第１所定時間に到達したか否かが判定される。そして、第１所定時間に到達したと判定された場合に、画質設定画面が消去されて、受信手段を介して受信された映像情報がフルスクリーン状態で表示されるため、利便性良好に画質条件を設定することができる。
【００１３】
すなわち、画質条件が設定された時点からの経過時間である第１経過時間が予め設定された第１所定時間に到達したと判定された場合に、画質設定画面が消去されて、受信手段を介して受信された映像情報がフルスクリーン状態で表示されるため、ユーザが操作入力をすることなく、フルスクリーン状態で表示された映像情報を視認することによって、設定された画質条件の適否を容易に視認することができるので、利便性良好に画質条件を設定することができるのである。
【００１４】
請求項２に記載の放送受信装置によれば、外部からの操作入力が受け付けられて、操作入力が受け付けられた場合に、第１経過時間が零にリセットされるため、ユーザが画質設定画面を介して、モニタに表示する映像の画質条件を設定している途中で、第１経過時間が予め設定された第１所定時間に到達したと判定されて画質設定画面が消去されることが防止されるので、更に利便性良好に画質条件を設定することができる。
【００１５】
請求項３に記載の放送受信装置によれば、画質設定画面が消去された時点からの経過時間である第２経過時間が求められ、求められた第２経過時間が予め設定された第２所定時間に到達したか否かが判定される。そして、第２所定時間に到達したと判定された場合に、画質設定画面が表示されるため、更に利便性良好に画質条件を設定することができる。
【００１６】
すなわち、画質設定画面が消去された時点からの経過時間である第２経過時間が予め設定された第２所定時間に到達したと判定された場合に、画質設定画面が表示されるため、第２所定時間（＝画質設定画面が消去された時点から、再度画質設定画面が表示されるまでの間）において、ユーザは設定された画質条件の適否を容易に視認することができるので、設定された画質条件が適当ではないと判断した場合には、再度画質設定画面を介してユーザが所望する画質条件に設定することができるので、更に利便性良好に画質条件を設定することができるのである。
【００１７】
請求項４に記載の放送受信装置によれば、外部からの操作入力が受け付けられて、受け付けられた操作入力に基づいて、第１所定時間及び第２所定時間の少なくとも一方が設定されるため、第１所定時間及び第２所定時間の少なくとも一方をユーザが所望する時間に容易に設定することができるので、更に利便性良好に画質条件を設定することができる。
【００１８】
請求項５に記載の放送受信装置によれば、モニタに表示する映像の輝度、コントラスト、彩度及び色合いの内、少なくとも１の項目が設定されるため、利便性良好に適正な画質条件を設定することができる。
【発明を実施するための最良の形態】
【００１９】
以下に本発明の実施形態を、図面を参照しながら説明する。図１は、本発明に係るデジタル放送受信機１の構成の一例を示すブロック図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２０】
デジタル放送受信機１は、リモコン２を介してユーザからの操作入力を受け付けて、テレビジョン放送を受信し、ディスプレイ１８３及びスピーカ１６３に、それぞれ映像及び音声を出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２１】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２２】
操作部１４は、電源のＯＮ、ＯＦＦ操作、選局等の各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２３】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２４】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２６】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。
【００２７】
赤外線通信部１９は、リモコン２からの電源のＯＮ、ＯＦＦ操作、選局、デジタル放送受信機１の各種設定（ディスプレイ１８３に表示する映像の画質条件の設定等）等の各種操作を受け付けるものである。
【００２８】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００２９】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３０】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に映像が表示される。
【００３１】
図２は、リモコン２の一例を示す正面図である。リモコン２（画質設定手段の一部、リセット手段の一部、時間設定手段の一部に相当する）は、ユーザからの操作入力を受け付けて、操作入力に対応する赤外線信号を生成して、デジタル放送受信機１に対して出力するものであって、赤外線信号出力部２１、方向キー２２、決定キー２３、戻るキー２４、及び、本体設定キー２５を備えている。赤外線信号出力部２１は、ユーザによって押下されたキーに対応する操作信号を生成し、赤外線信号に変換してデジタル放送受信機１に対して送信するものである。
【００３２】
方向キー２２は、ディスプレイ１８３に表示された複数の選択肢の中から１の選択肢を選択する場合等に押下されるキーであって、上方向キー、下方向キー、左方向キー、及び、右方向キーの４個のキーから構成されている。
【００３３】
決定キー２３は、方向キー２２によって選択された選択肢に決定する場合等に押下されるキーである。戻るキー２４は、ディスプレイ１８３に表示された各種設定画面から１つ前の設定画面に戻る場合等に押下されるキーである。本体設定キー２５は、ディスプレイ１８３に表示された各種設定画面での設定操作を終了する場合等に押下されるキーである。
【００３４】
図３は、本発明に係るデジタル放送受信機１における主要部の構成の一例を示すブロック図である。デジタル放送受信機１のＭＰＵ１１は、機能的に、時間設定部１１１、画質設定部１１２、第１時間算出部１１３、リセット部１１４、第１時間判定部１１５、表示形態変更部１１６、第２時間算出部１１７、及び、第２時間判定部１１８を備えている。また、ＲＡＭ１２は、機能的に、時間記憶部１２１を備えている。
【００３５】
ここでは、ＭＰＵ１１が、図１に示すＲＯＭ１３等に予め格納された制御プログラムを読み出して実行することにより、時間設定部１１１、画質設定部１１２、第１時間算出部１１３、リセット部１１４、第１時間判定部１１５、表示形態変更部１１６、第２時間算出部１１７、第２時間判定部１１８等の機能部として機能すると共に、ＲＡＭ１２を、時間記憶部１２１等の機能部として機能させるものである。
【００３６】
また、ＲＡＭ１２、図１に示すＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３７】
時間記憶部１２１は、時間設定部１１１によって設定された第１所定時間情報及び第２所定時間情報を格納するものである。また、時間記憶部１２１に格納された第１所定時間情報及び第２所定時間情報は、それぞれ、第１時間判定部１１５及び第２時間判定部１１８によって読み出されるものである。
【００３８】
時間設定部１１１（時間設定手段の一部に相当する）は、リモコン２を介して、ユーザからの操作入力を受け付けて、受け付けられた操作入力に基づいて、第１時間判定部１１５によって用いられる第１所定時間Ｔ１０、及び、第２時間判定部１１８によって用いられる第２所定時間Ｔ２０を設定すると共に、設定された第１所定時間Ｔ１０及び第２所定時間Ｔ２０を時間記憶部１２１に格納するものである。
【００３９】
画質設定部１１２（画質設定手段の一部に相当する）は、リモコン２を介して、ユーザからの操作入力を受け付けて、受け付けられた操作入力に基づいて、ディスプレイ１８３に映像の画質条件を設定する画面である画質設定画面（図４（ａ）参照）を表示すると共に、画質設定画面を介して、ディスプレイ１８３に表示する映像の画質条件を設定するものである。
【００４０】
具体的には、画質設定部１１２は、リモコン２に配設された所定のキー（例えば、本体設定キー２５）が押下された場合に図４（ａ）に示す画質設定画面を表示するものである。図４（ａ）は、画質設定部１１２によってディスプレイ１８３に表示される画質設定画面４００の一例を示す画面図である。
【００４１】
画質設定画面４００には、画面全体に背景として映像表示部４０１が表示され、映像表示部４０１の略中央部に輝度設定部４０２、コントラスト設定部４０３、彩度設定部４０４、色合い設定部４０５が上から順に表示され、画面下部に、ガイダンス表示部４０７が表示されている。
【００４２】
映像表示部４０１は、受信部１５を介して受信された映像情報を表示するものである。画質設定画面４００では、映像表示部４０１は、略中央部が輝度設定部４０２、コントラスト設定部４０３、彩度設定部４０４、色合い設定部４０５、及び、ガイダンス表示部４０７等に遮られるため、ユーザは、設定された画質の映像を視認することが困難である。
【００４３】
輝度設定部４０２、コントラスト設定部４０３、彩度設定部４０４、及び、色合い設定部４０５は、それぞれ、ディスプレイ１８３に表示される映像の輝度、コントラスト、彩度及び色合いを設定可能に表示するものである。例えば、輝度を設定する場合には、図２に示す方向キー２２を押下して、輝度設定部４０２を選択状態とし、更に、図２に示す方向キー２２を押下して、輝度値を所望の値に設定することによって輝度を設定することができる。なお、輝度設定部４０２を選択状態にあることは、輝度設定部４０２に対応する設定値表示部（図の輝度設定部４０２の右端に表示された四角の欄）の周囲が太線（＝選択表示マーク４０６）で表示されることによって視認することができる。
【００４４】
ガイダンス表示部４０７は、画質設定画面４００の操作方法を示すガイダンス情報を表示するものである。ガイダンス表示部４０７には、例えば、「本体設定：終了」と表示されており、本体設定キー２５を押下することによって、画質設定画面４００での設定操作を終了することができることが分かる。
【００４５】
再び、図３を用いて、ＭＰＵ１１の機能構成について説明する。第１時間算出部１１３（第１時間算出手段に相当する）は、画質設定部１１２によって画質条件が設定された時点からの経過時間である第１経過時間Ｔ１を求めるものである。また、第１時間算出部１１３は、リセット部１１４からの第１経過時間Ｔ１を零にリセットする旨の指示を受け付けた場合には、第１経過時間Ｔ１を零にリセットし、リセットされた時点からの経過時間を第１経過時間Ｔ１として求めるものである。
【００４６】
リセット部１１４（リセット手段の一部に相当する）は、リモコン２を介してユーザからの操作入力を受け付けて、操作入力が受け付けられた場合に、第１時間算出部１１３に対して第１経過時間Ｔ１を零にリセットさせるものである。
【００４７】
第１時間判定部１１５（第１時間判定手段に相当する）は、第１時間算出部１１３によって求められた第１経過時間Ｔ１が、時間記憶部１２１に格納された第１所定時間Ｔ１０に到達したか否かを判定するものである。
【００４８】
表示形態変更部１１６（表示形態変更手段に相当する）は、第１時間判定部１１５によって第１所定時間Ｔ１０に到達したと判定された場合に、画質設定画面４００（図４（ａ）参照）を消去して、受信部１５を介して受信された映像情報をフルスクリーン状態で表示するものである。
【００４９】
また、表示形態変更部１１６は、第２時間判定部１１８によって第２所定時間Ｔ２０に到達したと判定された場合に、画質設定画面４００（図４（ａ）参照）を表示するものである。
【００５０】
図４（ｂ）は、図４（ａ）に示す画質設定画面４００に対応する映像情報がフルスクリーン状態で表示された画面であるフルスクリーン画面４１０を示す画面図である。フルスクリーン画面４１０には、画面全体に、受信部１５を介して受信された映像情報を表示する映像表示部４１１が表示されている。図４（ａ）に示す画質設定画面４００では、映像表示部４０１が、輝度設定部４０２、コントラスト設定部４０３等に遮られていたが、フルスクリーン画面４１０では、映像表示部４１１を遮るものが表示されないため、ユーザは、設定された画質の映像を容易に視認することができるため、設定された画質条件の適否について適正に判断することができる。
【００５１】
再び、図３を用いて、ＭＰＵ１１の機能構成について説明する。第２時間算出部１１７（第２時間算出手段に相当する）は、表示形態変更部１１６によって画質設定画面４００（図４（ａ）参照）が消去された時点からの経過時間である第２経過時間Ｔ２を求めるものである。
【００５２】
第２時間判定部１１８（第２時間判定手段に相当する）は、第２時間算出部１１７によって求められた第２経過時間Ｔ２が、時間記憶部１２１に格納された第２所定時間Ｔ２０に到達したか否かを判定するものである。
【００５３】
図５、図６は、デジタル放送受信機１（主にＭＰＵ１１）の動作の一例を示すフローチャートである。なお、ここでは、便宜上、予め時間設定部１１１によって、第１所定時間Ｔ１０及び第２所定時間Ｔ２０は設定され、時間記憶部１２１に格納されている場合について説明する。
【００５４】
まず、画質設定部１１２によって、画質設定画面を表示する操作（ここでは、本体設定キー２５の押下）が行われたか否かの判定が行われる（Ｓ１０１）。画質設定画面を表示する操作が行われていないと判定された場合（Ｓ１０１でＮＯ）には、処理が待機状態とされる。画質設定画面を表示する操作が行われたと判定された場合（Ｓ１０１でＹＥＳ）には、画質設定部１１２によって、ディスプレイ１８３に画質設定画面４００（図４（ａ）参照）が表示される（Ｓ１０３）。
【００５５】
そして、画質設定部１１２によって、画質条件の設定が受け付けられたか否かの判定が行われる（Ｓ１０５）。画質条件の設定が受け付けられていないと判定された場合（Ｓ１０５でＮＯ）には、処理が待機状態とされる。画質条件の設定が受け付けられたと判定された場合（Ｓ１０５でＹＥＳ）には、第１時間算出部１１３によって、第１経過時間Ｔ１のカウントが開始される（Ｓ１０７）。そして、リセット部１１４によって、リモコン２を介して操作入力が受け付けられたか否かの判定が行われる（Ｓ１０９）。操作入力が受け付けられたと判定された場合（Ｓ１０９でＹＥＳ）には、リセット部１１４によって、第１経過時間Ｔ１が零にリセットされ（Ｓ１１３）、処理がステップＳ１０７に戻され、ステップＳ１０７以降の処理が繰り返し実行される。
【００５６】
操作入力が受け付けられていないと判定された場合（Ｓ１０９でＮＯ）には、第１時間判定部１１５によって、第１経過時間Ｔ１が第１所定時間Ｔ１０に到達したか否かの判定が行われる（Ｓ１１１）。第１経過時間Ｔ１が第１所定時間Ｔ１０に到達していないと判定された場合（Ｓ１１１でＮＯ）には、処理がステップＳ１０９に戻され、ステップＳ１０９以降の処理が繰り返し実行される。
【００５７】
第１経過時間Ｔ１が第１所定時間Ｔ１０に到達したと判定された場合（Ｓ１１１でＹＥＳ）には、図６に示すように、表示形態変更部１１６によって、画質設定画面４００（図４（ａ）参照）が消去されると共に、受信部１５を介して受信された映像情報がフルスクリーン状態で表示される（Ｓ１１５）。そして、第２時間算出部１１７によって、第２経過時間Ｔ２のカウントが開始される（Ｓ１１７）。次いで、第２時間判定部１１８によって、第２経過時間Ｔ２が第２所定時間Ｔ２０に到達したか否かの判定が行われる（Ｓ１１９）。
【００５８】
第２経過時間Ｔ２が第２所定時間Ｔ２０に到達していないと判定された場合（Ｓ１１９でＮＯ）には、処理が待機状態とされる。第２経過時間Ｔ２が第２所定時間Ｔ２０に到達したと判定された場合（Ｓ１１９でＹＥＳ）には、表示形態変更部１１６によって、画質設定画面４００（図４（ａ）参照）が表示される（Ｓ１２１）。そして、画質設定部１１２によって、画質設定処理を終了する旨の操作入力が受け付けられたか否かの判定が行われる（Ｓ１２３）。画質設定処理を終了する旨の操作入力が受け付けられていないと判定された場合（Ｓ１２３でＮＯ）には、処理が図５に示すステップＳ１０７に戻され、ステップＳ１０７以降の処理が繰り返し実行される。画質設定処理を終了する旨の操作入力が受け付けられたと判定された場合（Ｓ１２３でＹＥＳ）には、処理が終了される。
【００５９】
このようにして、リモコン２を介してユーザからの操作入力が受け付けられて、受け付けられた操作入力に基づいて、ディスプレイ１８３に画質条件を設定する画面である画質設定画面４００（図４（ａ）参照）が表示されると共に、画質設定画面４００を介して、ディスプレイ１８３に表示する映像の画質条件が設定される。また、画質条件が設定された時点からの経過時間である第１経過時間Ｔ１が求められ、求められた第１経過時間Ｔ１が予め設定された第１所定時間Ｔ１０に到達したか否かが判定される。そして、第１所定時間Ｔ１０に到達したと判定された場合に、画質設定画面４００が消去されて、受信部１５を介して受信された映像情報がフルスクリーン状態で表示されるため、利便性良好に画質条件を設定することができる。
【００６０】
すなわち、画質条件が設定された時点からの経過時間である第１経過時間Ｔ１が予め設定された第１所定時間Ｔ１０に到達したと判定された場合に、画質設定画面が消去されて、受信部１５を介して受信された映像情報がフルスクリーン状態で表示されるため、ユーザが操作入力をすることなく、フルスクリーン状態で表示された映像情報を視認することによって、設定された画質条件の適否を容易に視認することができるので、利便性良好に画質条件を設定することができるのである。
【００６１】
また、リモコン２を介してユーザからの操作入力が受け付けられて、操作入力が受け付けられた場合に、第１経過時間Ｔ１が零にリセットされるため、ユーザが画質設定画面４００を介して、ディスプレイ１８３に表示する映像の画質条件を設定している途中で、第１経過時間Ｔ１が予め設定された第１所定時間Ｔ１０に到達したと判定されて画質設定画面４００が消去されることが防止されるので、更に利便性良好に画質条件を設定することができる。
【００６２】
更に、画質設定画面４００が消去された時点からの経過時間である第２経過時間Ｔ２が求められ、求められた第２経過時間Ｔ２が予め設定された第２所定時間Ｔ２０に到達したか否かが判定される。そして、第２所定時間Ｔ２０に到達したと判定された場合に、画質設定画面４００が表示されるため、更に利便性良好に画質条件を設定することができる。
【００６３】
すなわち、画質設定画面４００が消去された時点からの経過時間である第２経過時間Ｔ２が予め設定された第２所定時間Ｔ２０に到達したと判定された場合に、画質設定画面４００が表示されるため、第２所定時間Ｔ２（＝画質設定画面が消去された時点から、再度画質設定画面４００が表示されるまでの間）において、ユーザは設定された画質条件の適否を容易に視認することができるので、設定された画質条件が適当ではないと判断した場合には、再度画質設定画面４００を介してユーザが所望する画質条件に設定することができるので、更に利便性良好に画質条件を設定することができるのである。
【００６４】
加えて、リモコン２を介してユーザからの操作入力が受け付けられて、受け付けられた操作入力に基づいて、第１所定時間Ｔ１０及び第２所定時間Ｔ２０が設定されるため、第１所定時間Ｔ１０及び第２所定時間Ｔ２０をユーザが所望する時間に容易に設定することができるので、更に利便性良好に画質条件を設定することができる。
【００６５】
また、ディスプレイ１８３に表示する映像の輝度、コントラスト、彩度及び色合いが設定されるため、利便性良好に適正な画質条件を設定することができる。
【００６６】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。
【００６７】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００６８】
（Ｃ）本実施形態では、ＭＰＵ１１が、時間設定部１１１、画質設定部１１２、第１時間算出部１１３、リセット部１１４、第１時間判定部１１５、表示形態変更部１１６、第２時間算出部１１７、第２時間判定部１１８等として機能する場合について説明したが、時間設定部１１１、画質設定部１１２、第１時間算出部１１３、リセット部１１４、第１時間判定部１１５、表示形態変更部１１６、第２時間算出部１１７、及び、第２時間判定部１１８の内、少なくとも１の機能部が回路等のハードウェアによって構成されている形態でもよい。
【図面の簡単な説明】
【００６９】
【図１】は、本発明に係るデジタル放送受信機の一例を示すブロック図である。
【図２】は、リモコンの一例を示す正面図である。
【図３】は、本発明に係るデジタル放送受信機における主要部の構成の一例を示すブロック図である。
【図４】は、画質設定部によってディスプレイに表示される画質設定画面の一例を示す画面図、及び、画質設定画面に対応する映像情報がフルスクリーン状態で表示された画面であるフルスクリーン画面を示す画面図である。
【図５】は、デジタル放送受信機（主にＭＰＵ）の動作の一例を示すフローチャート（前半部）である。
【図６】は、デジタル放送受信機（主にＭＰＵ）の動作の一例を示すフローチャート（後半部）である。
【符号の説明】
【００７０】
１    デジタル放送受信機（放送受信装置）
１１    ＭＰＵ
１１１    時間設定部（時間設定手段の一部）
１１２    画質設定部（画質設定手段の一部）
１１３    第１時間算出部（第１時間算出手段）
１１４    リセット部（リセット手段の一部）
１１５    第１時間判定部（第１時間判定手段）
１１６    表示形態変更部（表示形態変更手段）
１１７    第２時間算出部（第２時間算出手段）
１１８    第２時間判定部（第２時間判定手段）
１２    ＲＡＭ
１２１    時間記憶部
１５    受信部
１８    画像出力部
１８３    ディスプレイ（モニタ）
２    リモコン（画質設定手段の一部、リセット手段の一部、時間設定手段の一部）
【図１】
2009044553.tif 000003
【図２】
2009044553.tif 000004
【図３】
2009044553.tif 000005
【図４】
2009044553.tif 000006
【図５】
2009044553.tif 000007
【図６】
2009044553.tif 000008